(57)【特許請求の範囲】
【請求項１】
透液性トップシートと、バックシートとの間に吸収体が介在されるとともに、表面側両側部にそれぞれ立体ギャザーが形成された吸収性物品において、
前記立体ギャザーは、吸収性物品の長手方向に配置された第１弾性伸縮部材によって起立するとともに、この起立部分に対し、吸収性物品の長手方向に間隔をおいて、吸収性物品の幅方向及び／又は幅方向に対して傾斜角度を持って配置された複数の第２弾性伸縮部材の立ち上がりによって、吸収性物品の長手方向に所定の間隔で、内方側に起立を示すとともに、概ね吸収性物品の幅方向に沿う筋状の起立部を設けたことを特徴とする吸収性物品。
【請求項２】
前記第２弾性伸縮部材は、体液排出部を基準として、前側に位置する弾性伸縮部材は体液排出部側に向かって傾斜し、後側に位置する弾性伸縮部材は体液排出部側に向かって傾斜して配置されている請求項１記載の吸収性物品。
【請求項３】
前記第２弾性伸縮部材は、２枚の不織布シートの間に弾性伸縮部材を介在させた別体のギャザー第２シートを、前記立体ギャザーの起立部分に貼り合わせることにより配置されている請求項１，２いずれかに記載の吸収性物品。
【請求項４】
前記ギャザー第２シートの内方側は、透液性トップシートと吸収体との間に介在されるとともに、前記透液性トップシート及びギャザー第２シートの積層部分に対して、表面側から吸収性物品の長手方向に沿うエンボスを付与してある請求項３記載の吸収性物品。
【発明の詳細な説明】
【技術分野】
【０００１】
本発明は、経血やおりものなどを吸収するための生理用ナプキン、パンティライナー、失禁パッド、使い捨て紙おむつ等の吸収性物品に係り、特に立体ギャザーの倒れを防止しフィット性を向上させた吸収性物品に関する。
【背景技術】
【０００２】
従来より、パンティライナー、生理用ナプキン、失禁パッド、使い捨て紙おむつなどの吸収性物品として、ポリエチレンシートまたはポリエチレンシートラミネート不織布などの不透液性バックシートと、不織布または透液性プラスチックシートなどの透液性トップシートとの間に綿状パルプ等からなる吸収体を介在したものが知られている。
【０００３】
この種の吸収性物品にも幾多の改良が重ねられ、体液の漏れを防止するための手段が種々講じられている。これら体液漏れ防止手段の一つとして、表面側両側部に横漏れを防止する立体ギャザーを備えたものが存在する。例えば、下記特許文献１では、図７に示される生理用ナプキン５０のように、表面側の両側部に夫々、サイド不織布５２を配置し、このサイド不織布５２の内部に１又は複数の弾性伸縮部材５３、５３を伸長状態で配置することにより、弾性伸縮部材５３，５３の収縮力によって表面側に起立する立体ギャザー５４、５４が形成されている。
【０００４】
また、装着時に前記立体ギャザー５４が内側又は外側に倒れてしまい、経血や尿を堰き止める効果が発揮できないなどの問題に鑑み、下記特許文献２では、立体ギャザーの倒れを防止するために、図８に示されるように、液透過性の表面シート６１と、液不透過性の裏面シート６２と、これら両シート間に配置された吸収体６３からなる吸収性本体６４と、吸収性本体６４下部の長手方向両側縁から外側へ延出し、吸収性本体上に折り返されたフラップ６５と、吸収性本体下部の長手方向両側縁から外側へ延出した外装シート６６と、フラップ６５の吸収性本体６４上の側縁部から外装シート６６の延出した側縁部にかけて配置され、両側縁部で接合されているサイドシート６７を有してなり、前記フラップ６５は、吸収性本体上の側縁に伸縮弾性部材６８が配置され、その長手方向両端部が吸収性本体上に接合固定されると共に中央領域が自由縁になっており、前記サイドシート６７は、外装シート６６との分岐点とフラップ６５との分岐点との間において伸縮性弾性部材６９が配置されている吸収性物品６０が開示されている。
【特許文献１】特開２００３−２４３７６号公報
【特許文献２】特開平１０−２９０８１７号公報
【発明の開示】
【発明が解決しようとする課題】
【０００５】
確かに、上記特許文献２に係る吸収性物品の場合は、立体ギャザーの断面形状が中空三角形状となり、倒れに対して強いものとなる。しかしながら、サイドシート６７が外側に位置し、外装シート６６の端部を基点としているため、外装シート自体が折れ曲がったり、折り畳まれた状態で装着されると、サイドシート６７が支材として機能しなくなり、効果的に立体ギャザーの倒れを防止することができないという問題があった。
【０００６】
また、仮に、大量の体液が排出され、表面を流れて立体ギャザーの起立部まで達した場合、この体液が長手方向に沿って流れてしまい、横漏れや滲み出しを引き起こすといった問題が解決されていなかった。
【０００７】
そこで本発明の主たる課題は、立体ギャザーの倒れを防止し、フィット性を向上させるとともに、立体ギャザーにおいて、体液を吸収性物品の長手方向に流動させることなく、すばやく吸収体に引き込んで漏れや滲み出しを防止するようにした吸収性物品を提供することにある。
【課題を解決するための手段】
【０００８】
前記課題を解決するための請求項１に係る本発明として、透液性トップシートと、バックシートとの間に吸収体が介在されるとともに、表面側両側部にそれぞれ立体ギャザーが形成された吸収性物品において、
前記立体ギャザーは、吸収性物品の長手方向に配置された第１弾性伸縮部材によって起立するとともに、この起立部分に対し、吸収性物品の長手方向に間隔をおいて、吸収性物品の幅方向及び／又は幅方向に対して傾斜角度を持って配置された複数の第２弾性伸縮部材の立ち上がりによって、吸収性物品の長手方向に所定の間隔で、内方側に起立を示すとともに、概ね吸収性物品の幅方向に沿う筋状の起立部を設けたことを特徴とする吸収性物品間隔で、内方側に起立を示す筋状の起立部を設けたことを特徴とする吸収性物品が提供される。
【０００９】
上記請求項１記載の発明においては、立体ギャザーの起立壁面部分に、吸収性物品の長手方向に間隔をおいて、吸収性物品の幅方向又は幅方向に対して傾斜角度を持って配置された複数の第２弾性伸縮部材の立ち上がりによって、吸収性物品の長手方向に所定の間隔で、内方側に起立を示すとともに、概ね吸収性物品の幅方向に沿う筋状の起立部を設けるようにしてある。
【００１０】
従って、前記第２弾性伸縮部材によって形成される筋状の起立部が立体ギャザーを支えるため、立体ギャザーの倒れを効果的に防止し、フィット性を向上させることが可能となる。
【００１１】
また、前記筋状の起立部は、立体ギャザーまで流れ堰き止められた体液があった場合、この体液が吸収性物品の長手方向に流動するのを防止し、再び吸収体側に戻すように誘導するため、すばやく吸収体に引き込んで、漏れや滲み出しを防止することができる。
【００１２】
請求項２に係る本発明として、前記第２弾性伸縮部材は、体液排出部を基準として、前側に位置する弾性伸縮部材は体液排出部側に向かって傾斜し、後側に位置する弾性伸縮部材は体液排出部側に向かって傾斜して配置されている請求項１記載の吸収性物品が提供される。
【００１３】
上記請求項２記載の発明においては、前記立体ギャザーの起立部分に形成される筋状の起立部の方向を体液排出部側に向かって傾斜させることにより、体液を吸収体の中心側（体液排出部）に誘導するようにしたものである。
【００１４】
請求項３に係る本発明として、前記第２弾性伸縮部材は、２枚の不織布シートの間に弾性伸縮部材を介在させた別体のギャザー第２シートを、前記立体ギャザーの起立部分に貼り合わせることにより配置されている請求項１，２いずれかに記載の吸収性物品が提供される。
【００１５】
上記請求項３記載の発明では、前記第２弾性伸縮部材は、２枚の不織布シートの間に弾性伸縮部材を介在させた別体のギャザー第２シートを立体ギャザーの起立部分に貼り合わせることによって配置するようにしたものである。立体ギャザーに配置される前記第１弾性伸縮部材と、前記第２弾性伸縮部材とは、ほぼ直交的に交差する方向に配置されることになるため、製造上の理由から、前記第２弾性伸縮部材については、２枚の不織布シートの間に弾性伸縮部材を介在させた別体のギャザー第２シートを、立体ギャザーの起立部分に貼り合わせることによって配置した方が容易に製造することができる。また、前記ギャザー第２シートの貼り合わせによって、立体ギャザーの起立部分が二重構造となり、尿や経血が滲み出し難くなる。
【００１６】
請求項４に係る本発明として、前記ギャザー第２シートの内方側は、透液性トップシートと吸収体との間に介在されるとともに、前記透液性トップシート及びギャザー第２シートの積層部分に対して、表面側から吸収性物品の長手方向に沿うエンボスを付与してある請求項３記載の吸収性物品が提供される。
【００１７】
上記請求項４記載の発明では、前記ギャザー第２シートの内方側端部をしっかりと固定するため、及び立体ギャザーまで達した体液を前記筋状の起立部によって再び吸収体側に戻した際にすばやく吸収体に吸収させるために、前記ギャザー第２シートの内方側を、透液性トップシートと吸収体との間に介在させ、前記透液性トップシート及びギャザー第２シートの積層部分に対して、表面側から吸収性物品の長手方向に沿うエンボスを付与するようにしたものである。
【発明の効果】
【００１８】
以上詳説のとおり本発明によれば、立体ギャザーの倒れを防止し、フィット性を向上させるとともに、立体ギャザーにおいて、体液を吸収性物品の長手方向に流動させることなく、すばやく吸収体に引き込んで漏れや滲み出しを防止することが可能となる。
【発明を実施するための最良の形態】
【００１９】
以下、本発明の実施の形態について図面を参照しながら詳述する。
図１は本発明に係る生理用ナプキン１の展開図であり、図２は図１のII−II線矢視図である。
【００２０】
前記生理用ナプキン１は、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４と、この吸収体４の形状保持および拡散性向上のために前記吸収体４を囲繞するクレープ紙５と、表面側両側部にそれぞれ、少なくとも体液排出部Ｈから前後方向に所定の区間内において表面側に突出して設けられた左右一対の立体ギャザーＢＳ、ＢＳとから主に構成され、かつ前記吸収体４の周囲においては、その上下端縁部では前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と、前記立体ギャザーＢＳを形成しているサイド不織布７とがホットメルトなどの接着剤やヒートシール等の接着手段によって接合されている。
【００２１】
以下、さらに前記生理用ナプキン１の構造について詳述すると、
前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性バックシート２の非使用面側（外面）には１または複数条の粘着剤層（図示せず）が形成され、身体への装着時に生理用ナプキン１を下着に固定するようになっている。
【００２２】
前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性トップシート３に多数の透孔を形成した場合には、経血やおりもの等（以下、まとめて体液という。）が速やかに吸収されるようになり、ドライタッチ性に優れたものとなる。
【００２３】
前記吸収体４としては、体液を吸収・保持し得るものであれば良く、通常はフラッフ状パルプ中に吸水性ポリマー粉末を混入したものが吸収機能および価格の点から好適に使用される。前記吸収体４は形状保持等のためにクレープ紙５によって囲繞するのが望ましい。
【００２４】
一方、前記透液性トップシート３の幅寸法は、図示例では、図２の横断面図に示されるように、吸収体４の幅よりも若干長めとされ、吸収体４を覆うだけに止まり、前記立体ギャザーＢＳは前記透液性トップシート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１８〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００２５】
前記サイド不織布７は、図２に示されるように、起立基点が吸収体側縁近傍となるように、基端側部分を吸収体４の側縁を越えて外方に延出している不透液性バックシート２部分にホットメルトなどの接着剤によって接着し、起立部分のサイド不織布７の内、先端側部分をほぼ二重に折り返し、この二重シート内部に、その高さ方向中間部に両端または長手方向の適宜の位置が固定された弾性伸縮部材２０が配設されるとともに、先端部分に弾性伸縮部材２１が両端または長手方向の適宜の位置が固定された状態で配設されている。その結果、前記弾性伸縮部材２０配設部位を屈曲点として、断面く字状に内側に開口を向けたポケットＰ、Ｐを形成しながら表面側に起立する立体ギャザーＢＳ、ＢＳが形成されている。なお、前記弾性伸縮部材２０，２１が、立体ギャザーＢＳを起立させるための弾性部材であり、本発明における「第１弾性伸縮部材」を構成する。
【００２６】
本生理用ナプキン１では、詳細には図４に示されるように、前記立体ギャザーＢＳの起立部分において、ナプキン１の長手方向に間隔をおいて、ナプキンの幅方向又は幅方向に対して若干の傾斜角度を持って配置された複数の第２弾性伸縮部材９，９…の立ち上がりによって、ナプキン１の長手方向に所定の間隔で、内方側に起立を示すとともに、概ねナプキン１の幅方向に沿う筋状の起立部１０，１０…を設けるようにしている。ここで、「内方側」とは、立体ギャザーＢＳの起立壁面を基準として、吸収体４が配置された側、すなわち前記立体ギャザーＢＳの起立壁面の内面側となる方向をいう。
【００２７】
前記起立部１０は、体液排出部Ｈを基準として、前側に位置する弾性伸縮部材９，９…は体液排出部Ｈ側に向かって傾斜し、後側に位置する弾性伸縮部材９，９…は体液排出部Ｈ側に向かって傾斜して配置されていることが望ましい。すなわち、起立部１０、１０…の方向を体壁排出部Ｈ側に向かう方向とすることにより、立体ギャザーＢＳまで達した体液があったとしても、この体液がナプキン１の長手方向に流動するのを防止するとともに、再び吸収体側に戻す際に、極力、体液排出部Ｈに向かって誘導するようにする。
【００２８】
前記起立部１０，１０…を形成するには、前記第２弾性伸縮部材９，９…を直接、サイド不織布７に配置することも可能であるが、立体ギャザーＢＳに配置される前記第１弾性伸縮部材２０，２１と、前記第２弾性伸縮部材９，９…とは、ほぼ直交的に交差する方向に配置されることになるため、製造ライン途中に反転装置を設けるなど製造設備の大幅な改良を必要とするため、図５に示されるように、２枚の不織布シートの間に第２弾性伸縮部材９，９…を介在させた別体のギャザー第２シート６を別の工程で作製し、これを前記立体ギャザーＢＳの起立部分に貼り合わせることにより配置するのが望ましい。この際、弾性伸縮部材９，９…は、ほぼ中央に位置する弾性伸縮部材９は鉛直配置とするが、それよりも前部側及び後部側の第２弾性伸縮部材９，９…について、上端側配置間隔Ａを下端側配置間隔Ｂよりも大きく設定することにより、体液排出部Ｈを基準として、前側に位置する第２弾性伸縮部材９，９…は体液排出部Ｈ側に向かって傾斜し、後側に位置する第２弾性伸縮部材９，９…は体液排出部Ｈ側に向かって傾斜して配置されるようにする。ここで、前記上端側配置間隔Ａは、Ａ≧１０mmとし、下端側配置間隔Ｂはそれよりも小さな値に設定する。前記上端側配置間隔Ａが１０mm未満の場合は、前記起立部１０，１０…によって形成される間の溝がしっかりと形成されづらくなる。前記ギャザー第２シート６としては、前記サイド不織布７と同様に、撥水性不織布とするのが望ましい。
【００２９】
また、前記第２弾性伸縮部材９の強度は、起立部１０を適度に起立させるために、前記第１弾性伸縮部材２０，２１に対して概ね６０〜９０％の伸長度とし、相対的に弱めに設定するのが望ましい。
【００３０】
なお、前記ギャザー第２シート６としては、図６に示されるように、第２弾性伸縮部材９，、９…をすべて鉛直配置、すなわちナプキン１の幅方向に沿うように配置したものを使用することでもよい。
【００３１】
前記ギャザー第２シート６を配置するに当たっては、図３に示されるように、上端側はサイド不織布７の折返し部分に介在させ、下端側は透液性トップシート３と吸収体４との間に介在させるようにするのが望ましい。そして、前記透液性トップシート３及びギャザー第２シート６の積層部分に対して、表面側からナプキン１の略長手方向に沿う方向のエンボス８を付与するのが望ましい。このような配置態様を採る場合は、ギャザー第２シート６の上端側がめくれることがなくなるとともに、下端側が前記エンボス８によってしっかりと固定されるようになる。また、立体ギャザーＢＳまで達した体液を前記筋状の起立部１０，１０…によって再び吸収体４側に戻した際に、すばやく吸収体４に吸収させることができるようになる。
【００３２】
〔他の実施形態例〕
(1)上記形態例では、断面く字状に屈曲させた立体ギャザーＢＳの例により本発明を説明したが、立体ギャザーの断面形状は任意であり、単に直線状に起立する立体ギャザーＢＳに対しても全く同様に適用することができる。
(2)上記形態例においては、透液性トップシート３と吸収体４との間にセカンドシートを追加し、吸収速度の向上と逆戻りを防止するのが望ましい。セカンドシートの素材としては、多数の凹凸エンボスが付与されたメッシュシートや目付けの高い不織布、特にはエアスルー不織布を使用するのが望ましい。
(3)上記形態例では、生理用ナプキンの例により本発明を説明したが、本発明は使い捨て紙おむつに対しても同様に適用することができる。紙おむつへの適用の場合は、ナプキンの場合と同様の効果の他、立体ギャザーＢＳを高く起立させることで、肌と吸収面との間に隙間ができ、通気性が良好となるため、ムレやカブレを軽減することが可能となる。
【図面の簡単な説明】
【００３３】
【図１】本発明に係る生理用ナプキン１の展開図である。
【図２】その横断面図（図１のII−II線矢視図）である。
【図３】立体ギャザーＢＳの拡大断面図である。
【図４】筋状の起立部１０を正面から見た要部図である。
【図５】ギャザー第２シート６を示す、(A)は伸長状態展開図、(B)は収縮状態図である。
【図６】ギャザー第２シート６の他例を示す、(A)は伸長状態展開図、(B)は収縮状態図である。
【図７】従来の生理用ナプキン５０を示す展開図である。
【図８】従来の立体ギャザー例を示すおむつ断面図である。
【符号の説明】
【００３４】
１…生理用ナプキン、２…不透液性バックシート、３…透液性トップシート、４…吸収体、５…クレープ紙、６…ギャザー第２シート、７…サイド不織布、８…エンボス、９…第２弾性伸縮部材、１０…筋状の起立部、２０・２１…第１弾性伸縮部材、ＢＳ…立体ギャザー
【図１】
0005095467.tif 000002
【図２】
0005095467.tif 000003
【図３】
0005095467.tif 000004
【図４】
0005095467.tif 000005
【図５】
0005095467.tif 000006
【図６】
0005095467.tif 000007
【図７】
0005095467.tif 000008
【図８】
0005095467.tif 000009